(57)【要約】【課題】内装材または外装材として用いるために、ガラスに一体に接着される塗料と接着剤とを利用した湿式施工可能なカラーガラスタイルに関する。【解決手段】湿式施工可能なカラーガラスタイルの最上部にはガラス１０が配置されており、前記ガラス１０の一側面上に塗料２０が塗布され、塗布の一側には接合剤が付着されてなる。ガラス１０に塗布される塗料２０及び塗料２０に接合される接着剤３０は、乾燥後に一体となり、各種壁面５０に施工する際には接合剤の裏面との間にタイル用接合剤やコンクリートまたはモルタルを充填して壁面５０に付着して施工を行う。【選択図】図１
2007224703.tif 000002
【特許請求の範囲】
【請求項１】
所望の寸法に加工されて、洗浄乾燥されているガラスの一側面上に塗布されガラスと一体となり、紫外線に長時間晒されても色の変化がなく、水分の吸湿が起こらず、ガラスの固有弾性にも亀裂が入ることなく、高温でも低温でも破壊しない有色の塗料で塗色し乾燥させた後、前記塗料の上には化学物質とセメント及びケイ砂が混合されてガラスや塗料と一体に接着され、水分の吸湿が起こらないほか、紫外線による変形もなく、建物の変化に抵抗できる弾性物性を有し、衝撃による破損時にも飛散や落下による２次災害の恐れもなく、高温でも接着力に変化のない、耐火性のある接着剤が塗布された後に乾燥してなることを特徴とする湿式施工可能なカラーガラスタイル。
【請求項２】
前記塗料の塗布は、セラミック塗料、熱硬化性ペンキ、ウレタン樹脂塗料、シルクスクリーン用塗料の中から選択されたいずれかの塗料により行われることを特徴とする請求項１に記載の湿式施工可能なカラーガラスタイル。
【請求項３】
前記接着剤の塗布は、米国ロームアンドハース社のＭＣ−７６、ＡＳ−４８、Ａｃｒｙｌｅｘ−接着強化樹脂エマルジョンなどのポリマーセメント系の製品、ウレタンとエマルジョンなどの混合剤、アクリル系ラテックス、ウレタンやラテックスとエマルジョンなどの混合剤の中から選択されたいずれかの物質が添加されている接着剤により行われることを特徴とする請求項１に記載の湿式施工可能なカラーガラスタイル。
【請求項４】
前記塗料及び接着剤の乾燥は、自然乾燥、熱乾燥、紫外線乾燥の中から選択されたいずれかの方法により行われることを特徴とする請求項１に記載の湿式施工可能なカラーガラスタイル。
【発明の詳細な説明】
【技術分野】
【０００１】
本発明は、湿式施工可能なカラーガラスタイルに関し、より詳細には、内装材または外装材として用いるために、ガラスに一体に接着される塗料と接着剤とを利用した湿式施工可能なカラーガラスタイルに関する。
【背景技術】
【０００２】
従来は、各種建物の内外装材用に用いられる資材として、石材とコンクリート、レンガ及びパネルなどが主流となっていたが、このような建築用資材の外部は通常粗面になっており、コンクリートと石材レンガといった資材は雪や雨水を直接吸収したり蒸発したりの繰り返しによって風化作用を受け、寿命には限りがあったし、これにより建物の老朽化が加速するという問題があった。
【０００３】
また、石材やレンガを含む従来の建築用資材の外部は風化の侵食に直接露出しており、のみならず石材とレンガ及びコンクリートの固有のカラーに代わって塗料により塗色された内外部やパネルの壁も当初の塗色された状態を長く保持するのが困難であった。
【０００４】
建物の外壁がコンクリートやレンガで造られた場合は、風化作用による微細な侵食により、塗布された塗料が亀裂したり、色褪せしたりして頻繁に塗り直す必要があったほか、マンションのような大型構造物の場合は管理コストが嵩む原因にもなった。
【０００５】
そのため、コンクリートや石材、レンガを素材にした外部及び内部壁面を造成するための建築資材としては、耐久性のあるものが求められている。
【０００６】
通常、ガラスは数千年が経っても変化しないという耐久性を有しており、水分が吸収されず、完全な防水が可能である。
【０００７】
また、従来の石材やモルタルまたはコンクリートやレンガを素材にして建築物の外壁や内壁を造る場合にはレンガやコンクリートなどが持っている限られたカラーのみを演出するだけであって、現代の建築物で求められている多様な個性を表現するための方策は提供していない。
【０００８】
特に、天然色のカラーを導入して造成した壁面は、塗料の色が日光により色褪せし易いという現象や内壁に導入した場合に汚れ易いという性質のため、管理が難しく、定期的に塗料を塗り直さなければならないという問題があった。
【０００９】
そして、コンクリート素材を使って貯水槽を造成した場合やコンクリート素材の壁面に防水処理を施し、ＦＲＰやＳＭＣ処理を行った場合にも衛生に関わる根本的な問題とメンテナンスにともなう貯水槽内部の管理には多くの管理コストがかかり、このような管理コスト及び衛生問題の解決に向けた方策が要求されている。
【００１０】
また、従来の建築物の内外装材として用いられる石材やレンガコンクリート、陶器状に製造されるタイルなどは、天然色を十分に表現することが難しかったため、商業地区の派手な広告看板や看板などに相応しい建築物の外装材としての機能を果たせないという問題もあった。
【００１１】
さらに、石材やタイルを湿式に直接施工する場合、固体と固体が接着されて建物の変化に全く対応できないことなどから、脱落及び破損の原因となり、高層化が進む現代建築においては次第にその需要が減少している。
【００１２】
特に、現代建築の特性上、面を強調したり建物をマーケティングの手段として捉えるなど、個性を明確に表現する方向へと益々需要のパターンが変わっていく現状では、新しい材料の建物外装材を求めるようになったし、商店街の密集地や車通りが多くドライバ及び歩行者をはじめとする通行人が多い場所で人々の目を引く素材として、壁面を造る従来の素材は不十分であった。
【００１３】
また、近年は一般のカラーガラスを、シリコンや両面テープを利用して壁体に付着しているが、この方法は火気に近づけると脱落する原因となり、衝撃破損にともなう飛散及び落下により２次災害につながる恐れがあるという短所を持っている。
【００１４】
本発明は、上記従来技術の問題点を解決するために、所望の寸法に加工されて、洗浄乾燥されているガラスの一側面上に塗布されガラスと一体となり、紫外線に長時間晒されても色の変化がなく、水分の吸湿が起こらず、ガラスの固有弾性にも亀裂が入ることなく、高温でも低温でも破壊しない有色の塗料で塗色し乾燥させた後、前記塗料の上には化学物質とセメント及びケイ砂が混合されてガラスや塗料と一体に接着され、水分の吸湿が起こらないほか、紫外線による変形もなく、建物の変化に抵抗できる弾性物性を有し、衝撃による破損時にも飛散や落下による２次災害の恐れもなく、高温でも接着力に変化がない耐火性のある接着剤が塗布された後に乾燥してなることを特徴とする湿式施工可能なカラーガラスタイルの製造方法を発明するに至った。
【発明の開示】
【発明が解決しようとする課題】
【００１５】
本発明は、かかる事情に鑑みてなされたもので、その目的は、建築物の内外装材として提供されるガラスを素材にした壁面の製造方法を提供することにある。
【００１６】
本発明の別の目的は、ガラスと一体に塗布されて接合され、その上に各種の壁面に湿式施工が可能であって、最外側にはガラス素材の建物の内外装材として用いられるガラスタイルを提供することにある。
【００１７】
また、本発明のさらに別の目的は、貯水槽を造成するためにこれまで利用していた従来のコンクリートやレンガに代わって、ガラスを素材としたガラスタイルを提供することにある。
【００１８】
また、本発明のさらに別の目的は、従来の石材やレンガコンクリートを素材にした建築物の内外装材に代わって、紫外線と熱及び直射光線にも耐性を持っているため天然カラーを建物の内外装材に用いても長時間変形や変化などのないガラスを素材にした建物の内外装材を提供することにある。
【００１９】
また、本発明のさらに別の目的は、携帯電話をはじめとするダイナミックな情報機器を販売するための代理店や店舗のために企業の広告戦略に応えられるカラフル、かつ、モダンな素材を利用して視覚的な効果を極大化することができる建物の内外装材としてのガラスタイルを提供することにある。
【００２０】
また、本発明のさらに別の目的は、季節に応じて微細な収縮と膨脹を持続的に繰り返す壁面に適応して亀裂と変形を起こさないガラスを素材にし、有色のカラーを表現でき、建築物の内装材及び外装材として用いられる場合は湿式施工されて建物の壁面と完全に一体に造成可能であり、衝撃などによる破損時にも飛散や落下による２次災害を起こさないガラスタイルを提供することにある。
【００２１】
また、本発明のさらに別の目的は、貯水槽ではガラスを素材にして、ガラスの表面に直接水が接触できるようにしているため、衛生的で、ガラスの滑らかな面によって管理が容易になるほか、ガラスの下に塗布される塗料の色を衛生施設に相応しい多様な色で塗布できるようにし、貯水槽が防水機能を完全に果たせるのはもちろん、各色の塗布によって浮遊物質などを確認し易くし、飲料水を処理するための消毒薬剤に対しても耐化学性に優れ、侵食や腐食が発生しないガラスタイルを提供することにある。
【課題を解決するための手段】
【００２２】
本発明は、上記目的を達成するために、所望の寸法に加工されて、洗浄乾燥されているガラスの一側面上に塗布されガラスと一体となり、紫外線に長時間晒されても色の変化がなく、水分の吸湿が起こらず、ガラスの固有弾性にも亀裂が入ることなく、高温でも低温でも破壊しない有色の塗料で塗色し乾燥させた後、前記塗料の上には化学物質とセメント及びケイ砂が混合されてガラスや塗料と一体に接着され、水分の吸湿が起こらないほか、紫外線による変形もなく、建物の変化に抵抗できる弾性物性を有し、破損にともなう飛散や落下による２次災害の恐れもなく、高温でも接着力に変化のない、耐火性のある接着剤が塗布された後に乾燥してなることを特徴とする湿式施工可能なカラーガラスタイルの製造方法を提供する。
【００２３】
上記目的を達成するために、本発明に係る湿式施工可能なカラーガラスタイルは、 所望の寸法に加工されて、洗浄乾燥されているガラスの一側面上に塗布されガラスと一体となり、紫外線に長時間晒されても色の変化がなく、水分の吸湿が起こらず、ガラスの固有弾性にも亀裂が入ることなく、高温でも低温でも破壊しない有色の塗料で塗色し乾燥させた後、前記塗料の上には化学物質とセメント及びケイ砂が混合されてガラスや塗料と一体に接着され、水分の吸湿が起こらないほか、紫外線による変形もなく、建物の変化に抵抗できる弾性物性を有し、破損にともなう飛散や落下による２次災害の恐れもなく、高温でも接着力に変化がない耐火性のある接着剤が塗布された後に乾燥してなることを特徴とする。
【００２４】
本発明の好適な一実施の形態では、塗料の塗布は、セラミック塗料、熱硬化性ペンキ、ウレタン樹脂塗料、シルクスクリーン塗料の中から選択されたいずれかにより行える。
【００２５】
本発明の好適な一実施の形態では、接着剤の塗布は、米国ロームアンドハース社のＭＣ-７６、ＡＳ-４８、Ａｃｒｙｌｅｘ-接着強化樹脂エマルジョンなどのポリマーセメント系の製品、ウレタンとエマルジョンなどの混合剤、アクリル系ラテックス、ウレタンやラテックスとエマルジョンなどの混合剤の中から選択されたいずれかの物質が添加されている接着剤により行われる。
【００２６】
本発明の好適な一実施の形態では、塗料及び接着剤の乾燥は、自然乾燥、熱乾燥、紫外線乾燥の中から選択されたいずれかの方法により行われる。
【００２７】
このように、本発明の一実施の形態によって製造されるガラスタイルは、塗料と接着剤とが一体に形成されており、接着剤にはセメントなどの素材が混合されているため、湿式施工により多様な建築物の外壁に付着できる。
【発明の効果】
【００２８】
本発明の好適な一実施の形態によれば、従来の石材及びレンガまたはコンクリートを素材にした建築物の内外装材の代わりに、ガラス素材の建築物の内外装材を提供でき、本発明の一実施の形態で提供されるガラスタイルによって建物壁面の微細な収縮や膨脹に適応されて亀裂や脱落が生じない建築物の内外装材を提供できるという効果を奏する。
【００２９】
そして、天然色のカラーをガラスの一側上面に塗布できるようにして現代都市の商店街密集地と流動人口の多い地域に天然色のカラーが用いられ、ガラス面により反射されて光る効果を利用して人々の注目を集める広告看板及び案内板はもちろん、効果的に人々の目を引くことができる建築物の内外装材を提供できる。
【００３０】
また、貯水槽のような衛生施設に用いられても、ガラスを素材にしているためガラス面により細菌が繁殖し難い環境を作り、完全な防水がなされるようにできるほか、水の色及び状態を容易に確認できる衛生施設を提供できる。
【００３１】
さらに、建物の外壁に適用される場合、雨水の浸水が全く発生せず、直射光線がガラス面を透過した後に伝達されるようにして天然色のカラーが長く保持される建物の外装材として機能できるようにし、このような外装材が建物内部の内装材として用いられる場合にも同様の機能を発揮できる。
【００３２】
また、建物の熱的膨脹及び収縮に対応して建物と一体になって収縮及び膨脹されるガラスタイルを提供し、建物の内装材として用いられる場合にはガラス面の裏に塗布されている塗料及び接着剤が堅固に維持されるタイルを提供して、建物壁が火災にも耐えられるようにし、火災が広がらないようにする内外装材として機能できる。
【００３３】
さらに、壁体に密着して施工されているため、衝撃などによるガラスの破損時にも飛散や落下が発生せず、２次災害を引き起こす恐れが全くないので、安全な資材としての役割を果たせる。
【発明を実施するための最良の形態】
【００３４】
以下、添付した図面に基づき、本発明に係る具体的な実施の形態について詳細に説明する。
【００３５】
図１は、本発明の一実施の形態に係る湿式施工可能なカラーガラスタイルの概略的な状態を示す図である。
【００３６】
図１を参照すれば、最上部にはガラス１０が配置されており、前記ガラス１０の一側面上に塗料２０が塗布され、塗布の一側には接合剤が付着されてなる。ガラス１０に塗布される塗料２０及び塗料２０に接合される接着剤３０は、乾燥後に一体となり、各種壁面５０に施工する際には接合剤の裏面との間にタイル用接合剤やコンクリートまたはモルタルを充填して壁面５０に付着して施工を行う。
【００３７】
この際に塗布される塗料２０は、天然色のカラーを呈する塗料２０を用いることができ、壁面５０の外部から見たとき、塗料２０の色はそのまま表れる。
【００３８】
このような塗料２０の色が上面のガラス１０を透過して視覚に伝達されて建物の内外装材として用いられる場合には従来のコンクリートや、レンガまたは簡単な素材を補完する新しい形態の建築資材として機能する。
【００３９】
このような本発明の一実施の形態に係る建築物の内外装材として用いられる場合は、温度差によって収縮と膨脹を繰り返す建物の壁面５０に対応して本発明の一実施の形態に係るガラスタイルを構成する接着剤３０、塗料２０、ガラス１０は微細な収縮と膨脹を繰り返し、建物の壁面５０に一応付着された後には亀裂や離脱が生じない性質を有している専用塗料２０と専用物質が用いられる。
【００４０】
本発明の一実施の形態に係る湿式施工可能なカラーガラスタイルを加工するためには、工場で決まった作業工程に従って加工が行われる。
【００４１】
まず、ガラス１０を所望の寸法に加工するが、必要に応じて強化ガラス１０や、柄のついたガラス１０、エッチングガラス１０など、多様に選択されたガラス１０を加工でき、一側面上に塗布されるカラーと調和できるようなガラス１０を選択すればよい。
【００４２】
例えば、強化ガラス１０は、外装及び強度が求められる場合に用いられる。
【００４３】
選択されたガラス１０の寸法は、以後工程の基準となるもので、ガラス１０の加工ステップ中に付いた汚染物質及び浮遊微粒子などを洗浄過程を通じてきれいに除去することはもちろん、除去した後も異物が付かないように注意し、特に後続する工程で塗料２０の塗布時に不良品が発生しないように水分を完全に乾かさなければならない。
【００４４】
このように加工して用意したガラス１０の一側面上には、所望のカラーを発色する塗料２０で塗布が行われる。この時の塗料２０は、専用塗料２０であって、塗色後にはガラス１０と一体にならなければならないほか、建物の外壁に施工が行われるため、長時間日光に当たってもカラーの変化が極めて少ない塗料２０を使用しなければならない。
【００４５】
また、この工程で用いられる塗料２０は、温度差によってガラス１０が微細な収縮と膨脹を繰り返す時、これとともに収縮と膨脹を繰り返さなければならず、この過程で塗料２０に亀裂が生じてはならないことはもちろん、ガラス１０と完全に一体となって、ガラス１０とともに温度差による膨脹と収縮がなされることで、壁面５０施工の完了後に壁面５０から離脱したり、亀裂が生じたりするなどの不具合を招いてはならない。
【００４６】
本発明の一実施の形態に係るガラス１０タイルを建物の内外装材として用いる場合は、外部の日較差及び建物内部の冷暖房状態または湿度の変化などにより十分に適応可能な性質の塗料２０を使用しなければならない。特に、水分の吸湿が起こらないようにして、本発明の一実施の形態に係るガラス１０タイルにより完全な防水が達成でき、さらに水分による塗料２０の膨脹及び変形がなく、当初の施工状態が維持されなければならない。
【００４７】
本発明の好適な一実施の形態では、このような機能を充足させるために、セラミック専用塗料や熱硬化性ペンキまたはウレタン樹脂塗料、シルクスクリーン用塗料の中から選択されたいずれかの塗料２０を用いる。
【００４８】
本発明の一実施例では、ガラス１０の一側面上に塗料２０が塗布されると乾燥するが、この時は、自然乾燥または熱乾燥を行い、塗料２０から水分が排出されて完全に硬化されるようにする。
【００４９】
このように、塗料２０が完全に硬化した後は専用物質を用いた接着剤３０を必要な厚さに塗布する。この時、専用物質として用いられる接着剤３０は化学物質とコンクリート機能を兼備しているものであって、ガラス１０や専用塗料２０に一体に接着され、吸湿が起こらず、防水機能を有し、紫外線にも強く、温度差による壁面５０の収縮と膨脹に適応できる弾性を十分に有していなければならず、高温でも接着力に変化がなく、火災時にも建物から離脱しない耐火材としての機能を有していなければならない。
【００５０】
実際の加工時には、本発明の一実施の形態に係るガラスタイルの接着剤３０層と、施工される壁面５０の一側面及びこれらの間に充填されるガラスタイル用接着剤４０、モルタル、またはコンクリートにより一体に接着されなければならないし、壁面５０の施工時に本発明の一実施の形態に係るガラスタイルに用いられる接着剤３０を使用すれば、本発明の一実施の形態に係るガラスタイルと壁面５０とは一体になって施工が行われる。
【００５１】
このような機能をする接着剤３０としては、米国ロームアンドハース社のＭＣ−７６、ＡＳ−４８、Ａｃｒｙｌｅｘ−接着強化樹脂エマルジョンなどのポリマーセメント系の製品、ウレタンとエマルジョンなどの混合剤、アクリル系ラテックス、ウレタンやラテックスとエマルジョンなどの混合剤など、ガラス１０に接着力を持つ製品が用いられる。
【００５２】
本発明の好適な一実施の形態によれば、接着剤３０の塗布が完了した製品は、自然乾燥や熱乾燥または紫外線を照射して完全に乾燥させることができ、その後は、表面仕上げ作業を経て各需要者に供給できる。
【００５３】
図２は、本発明の一実施の形態に係る湿式施工可能なカラーガラスタイルを用いて壁面５０部の施工時に可能な断面の概略的な状態を示す図である。
【００５４】
図２を参照すれば、本発明の一実施の形態に係る湿式施工可能なカラーガラスタイルを用いて接着剤４０により壁面５０に付着し、付着時に使用できる接着剤４０はタイル用接着剤やコンクリートを利用して施工できるが、本発明の一実施例の形態で用いられる接着剤３０を構成する専用物質を利用することが好ましく、粉末状態に造成しておき、水で練り合わせて用いることが本発明の一実施の形態に係る湿式施工可能なカラーガラスタイルと壁面５０とを一体に施工する好適な方法である。
【００５５】
本発明の一実施の形態に係る湿式施工可能なカラーガラスタイルを用いて、壁面５０の内外装材を造成する場合は、湿式施工可能なカラーガラスタイルの間には所定の目地が形成されるが、このような目地の間には雨水が侵入しないようにコーキング材６０で処理することが好ましい。このようなコーキング材６０としては、公知のようにタイル目地製品やシリコンあるいはモールディング類などが用いられる。
【００５６】
上述のように構成される本発明の好適な一実施の形態によれば、所望の寸法に加工されて洗浄乾燥されているガラス１０の一側面上に塗布されガラス１０と一体となり、紫外線に長時間晒されても色の変化がなく、水分の吸湿が起こらず、ガラス１０の固有弾性にも亀裂が入ることなく、高温でも低温でも破壊しない有色の塗料２０で塗色し乾燥させた後、前記塗料２０の上には化学物質とセメント及びケイ砂が混合されてガラス１０や塗料２０に一体に接着され、水分の吸湿が起こらないほか、紫外線による変形もなく、建物の変化に抵抗できる弾性物性を有し、破損にともなう飛散や落下による２次災害の恐れもなく、高温でも接着力に変化がない耐火性のある接着剤が塗布された後に乾燥してなることを特徴とする。
【００５７】
前記塗料２０の塗布は、セラミック塗料２０、熱硬化性ペンキ、ウレタン樹脂塗料２０の中から選択されたいずれかの塗料２０により行える。
【００５８】
前記接着剤３０の塗布は、米国ロームアンドハース社のＭＣ−７６、ＡＳ−４８、Ａｃｒｙｌｅｘ−接着強化樹脂エマルジョンなどのポリマーセメント系の製品、ウレタンとエマルジョンなどの混合剤、アクリル系ラテックス、ウレタンやラテックスとエマルジョンなどの混合剤の中から選択されたいずれかの物質が添加されている接着剤３０により行える。
【００５９】
前記塗料２０及び接着剤３０の乾燥は、自然乾燥、熱乾燥、紫外線乾燥の中から選択されたいずれかの方法により行える。
【００６０】
尚、本発明は、上記した本実施の形態に限られるものではなく、本発明の技術的思想から逸脱しない範囲内で多様に変更して実施することが可能である。
【図面の簡単な説明】
【００６１】
【図１】本発明の一実施の形態に係る湿式施工可能なカラーガラスタイルの概略的な状態を示す図である。
【図２】本発明の一実施の形態に係る湿式施工可能なカラーガラスタイルを用いて壁面部の施工時に可能な断面の概略的な状態を示す図である。
【符号の説明】
【００６２】
１０    ガラス
２０    塗料
３０    接着剤
４０    接着剤
５０    壁面
６０    コーキング材
【図１】
2007224703.tif 000003
【図２】
2007224703.tif 000004